(57)【要約】【課題】パーシャル表示領域以外の領域に表示された画像に影響を与えずにパーシャル表示領域を移動させることで、表示品位の向上を図ることのできる表示装置を提供する。【解決手段】表示部１１の全表示領域の１画面分のデータを記憶する第２メモリ２５と、該第２メモリ２５とは別に設けられ、パーシャル表示領域の１画面分のデータを記憶する第１メモリ２４と、上記各メモリから読み出したデータを、それぞれ対応する上記表示領域に書き込ませると共に、上記パーシャル表示領域を、任意の時間経過毎に、上記表示部１１の表示画面内の任意の位置に移動させるコントロール部２３とを備える。【選択図】　図１
2004045748.tif 000002
【特許請求の範囲】
【請求項１】
書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置において、
上記画像表示部の全表示領域の１画面分のデータを記憶する全画面メモリと、該全画面メモリとは別に設けられ、上記パーシャル表示領域の１画面分のデータを記憶する部分画面メモリとを含む記憶部と、
上記各メモリから読み出したデータを、それぞれ対応する上記表示領域に書き込ませると共に、上記パーシャル表示領域を、任意の時間経過毎に、上記画像表示部の表示画面内の任意の位置に移動させるコントロール部とを備えていることを特徴とする表示装置。
【請求項２】
上記コントロール部は、上記パーシャル表示領域を、任意の時間間隔で、線順次にずらして移動させることを特徴とする請求項１記載の表示装置。
【請求項３】
上記コントロール部は、上記パーシャル表示領域を、任意の時間間隔で、ランダムにずらして移動させることを特徴とする請求項１記載の表示装置。
【請求項４】
上記コントロール部は、上記パーシャル表示領域と他の領域との境界に、境界線としての任意の色データを書き込ませることを特徴とする請求項１ないし３の何れか１項に記載の表示装置。
【請求項５】
書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置において、
上記パーシャル表示領域と他の領域との境界に、境界線としての任意の色データを書き込ませるコントロール部が設けられていることを特徴とする表示装置。
【請求項６】
書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置の表示方法において、
上記パーシャル表示領域に、上記全表示領域に書き込まれる１画面分のデータとは別の１画面分のデータを書き込むと共に、該パーシャル表示領域を、任意の時間経過毎に、上記画像表示部の表示画面内の任意の位置に移動させることを特徴とする表示方法。
【請求項７】
上記パーシャル表示領域を、任意の時間間隔で、線順次にずらして移動させることを特徴とする請求項６記載の表示方法。
【請求項８】
上記パーシャル表示領域を、任意の時間間隔で、ランダムにずらして移動させることを特徴とする請求項６記載の表示方法。
【請求項９】
上記パーシャル表示領域と他の領域との境界に、境界線としての任意の色データを書き込むことを特徴とする請求項６ないし８の何れか１項に記載の表示方法。
【請求項１０】
書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置の表示方法において、
上記パーシャル表示領域と他の領域との境界に、境界線としての任意の色データを書き込むことを特徴とする表示方法。
【発明の詳細な説明】
【０００１】
【発明の属する技術分野】
本発明は、液晶表示装置等のホールド型表示装置において、表示画面の一部を表示状態とし、他の領域を非表示状態とするパーシャル駆動方法を適用した表示装置及び表示方法に関する。
【０００２】
【従来の技術】
携帯端末器としての携帯電話で使用される表示装置としては、表示画面の表示品位を高めるために高精細化及びフルカラー化が進んだ液晶表示装置が主に使用されている。このように高精細化及びフルカラー化が進めば、液晶表示装置における消費電力の増大を招く。
【０００３】
また、携帯電話において、液晶表示装置の消費電力を削減することは、機器全体で消費される電力の削減につながる。
【０００４】
そこで、液晶表示装置における画面内の一部領域を表示状態、他の領域を非表示状態にすることで、表示にかかる消費電力を低減する駆動方法（パーシャル駆動方法）が提案されている。
【０００５】
上記パーシャル駆動方法を適用した携帯電話では、待ち受け時において、液晶表示装置における画面内の一部領域（パーシャル表示領域）には、時刻、電波状況等のデータを随時書き換える必要のある情報が表示され、非表示状態の他の領域には、書き換える必要のない情報、例えば白や黒等が表示される。
【０００６】
つまり、従来のパーシャル駆動方法を適用した携帯電話では、待ち受け時に、液晶表示装置の表示画面内において表示される内容が固定され、汎用性に乏しく面白味に欠けたものとなっている。
【０００７】
そこで、例えば特開２０００−１１２４３５号公報には、表示装置における画面内の一部の領域（パーシャル表示領域）の位置、面積、あるいは表示内容の少なくとも一つをある時間間隔で変化させる技術が開示されている。このように、パーシャル表示領域をある時間間隔で変化させることで、画面に面白味を持たせている。
【０００８】
【発明が解決しようとする課題】
しかしながら、上記公報に開示された技術では、以下に示すような問題が生じる。
【０００９】
パーシャル表示領域は、非表示領域上を移動することになるので、該非表示領域では、パーシャル表示領域が移動したあとの領域を他の非表示領域と同じ状態にするために、液晶のスイッチング素子のオン・オフのみで対応させて、白表示あるいは黒表示となっている。このため、非表示領域にユーザが希望する画像を表示させることができないという問題が生じる。
【００１０】
仮に、非表示領域にユーザが希望する画像を表示させても、パーシャル表示領域が移動すれば、移動した後の領域が白表示あるいは黒表示の状態となり、表示画面における表示品位を低下させるという問題が生じる。
【００１１】
そこで、本発明は、上記の各問題点に鑑みなされたものであって、その目的は、パーシャル表示領域以外の領域に表示された画像に影響を与えずにパーシャル表示領域を移動させることで、表示品位の向上とを図ることのできる表示装置及び表示方法を提供することにある。
【００１２】
【課題を解決するための手段】
上記の課題を解決するために、本発明の表示装置は、書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置において、上記画像表示部の全表示領域の１画面分のデータを格納する全画面メモリと、該全画面メモリとは別に設けられ、上記パーシャル表示領域の１画面分のデータを記憶する部分画面メモリとを含む記憶部と、上記各メモリから読み出したデータを、それぞれ対応する上記表示領域に書き込ませると共に、上記パーシャル表示領域を、任意の時間経過毎に、上記画像表示部の表示画面内の任意の位置に移動させるコントロール部とを備えていることを特徴としている。
【００１３】
上記の構成によれば、パーシャル表示領域が、任意の時間経過毎に画像表示部の表示画面内の任意の位置に移動させることで、該パーシャル表示領域に書き込まれたデータによる画面の焼きつきを防止することができる。
【００１４】
これにより、画像表示部における画面焼きつきによる表示品位の低下を防止することができる。このパーシャル表示領域の移動時間間隔は、ユーザが該パーシャル表示領域に表示されたデータの確認が行えるような間隔であればよい。
【００１５】
また、画像表示部の全表示領域に書き込まれるデータと、パーシャル表示領域に書き込まれるデータとが記憶部内の別々のメモリに記憶されているので、画像表示部の表示領域へのデータの書き込みと、パーシャル表示領域へのデータの書き込みとを独立して制御することが可能となる。
【００１６】
これにより、パーシャル表示を行う際に非表示領域と考えられた領域にユーザが希望する画像を表示させることができる。
【００１７】
しかも、画面の焼きつきを防止するために、パーシャル表示領域を移動させた場合、パーシャル表示領域の移動先の領域では、部分画面メモリに記憶されたデータが読み出され、このデータによって既に書き込まれたデータが書き換えられ、パーシャル表示領域が移動した後の領域では、全画面メモリに記憶されたデータが読み出され、このデータによって既に書き込まれているデータが書き換えられるようになるので、パーシャル表示領域が画像表示部の表示画面内を移動しても、パーシャル表示領域以外の他の領域で表示された画像に影響を与えることはない。
【００１８】
したがって、パーシャル表示領域以外の領域に表示されるユーザが希望する画像は、パーシャル表示領域の移動の影響を受けないので、パーシャル表示領域と他の表示領域との両方に画像表示させても、表示品位の低下はなく、結果として、パーシャル表示が可能な画像表示部での表示品位の向上を図ることができる。
【００１９】
ここで、本表示装置を例えば携帯電話の表示装置として使用した場合、画像表示部には、長期間データを保持するようにして静止画を表示させ、その上に、逐次データを更新する必要のある情報（時刻、電波状態、バッテリー状態等）を表示させるパーシャル表示領域を設定すればよい。
【００２０】
この場合、パーシャル表示領域では、データを逐次更新させる必要があるので、消費電力が他の領域よりも多くなるが、パーシャル表示領域以外の領域では、一旦データを書き込んだ後、所定の期間保持して、リフレッシュさせるようになっているので、消費電力は少なくて済む。したがって、画像表示部全体をパーシャル表示領域とした場合よりも、消費電力は少なくて済み、結果として、表示装置全体の低消費電力化を図ることができる。
【００２１】
パーシャル表示領域の移動のさせかたとしては、以下のような方法がある。
【００２２】
上記コントロール部によって、上記パーシャル表示領域を、任意の時間間隔で、線順次にずらして移動させるようにしてもよい。
【００２３】
また、上記コントロール部によって、上記パーシャル表示領域を、任意の時間間隔で、ランダムにずらして移動させるようにしてもよい。
【００２４】
画像表示部とパーシャル表示領域とでは、上記のようにデータの保持期間が異なるので、同一色で表示させた場合には、時間経過と共に、色が微妙に異なるように見える。
【００２５】
また、人間は、微妙に異なる色同士の境界部分に境界が分かるようにラインを書き込むことで、微妙に異なる色同士が同じに見えるという視覚特性を有している。
【００２６】
そこで、上記パーシャル表示領域と画像表示部内の他の領域との境界に、境界線としての任意の色データを書き込ませることが考えられる。
【００２７】
このように、データの保持期間の異なる表示領域の境界部分に境界線を示す色データを書き込めば、表示領域の境界が明瞭となり、パーシャル表示領域と他の領域とで微妙に異なって見える色であっても、ほぼ同じ色に見せかけることが可能となる。
【００２８】
これにより、パーシャル表示領域を設けた画像表示部における時間経過による遜色による表示品位の低下を防止することができ、結果として、表示装置における表示品位の向上を図ることができる。
【００２９】
上記の境界線として書き込むラインの色は、消費電力や書き込みの簡便さから白または黒が好ましい。しかしながら、他の色であっても、特に問題はない。
【００３０】
上記構成の表示装置では、該表示装置内部の記憶部に、パーシャル表示領域の１画面分のデータを記憶する部分画面メモリを設けていたが、この部分画面メモリは、上記記憶部内に必ずしも設ける必要はなく、例えば表示装置が携帯電話に用いられるのであれば、上記のパーシャル表示領域の１画面分のデータを逐次ダウンロードして直接書き込むようにしてもよい。また、画像表示部の全表示領域の１画面分のデータもダウンロードして直接書き込むようにすれば、全画面メモリも記憶部内に設ける必要がなくなる。
【００３１】
そこで、本発明の表示方法は、書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置の表示方法において、上記パーシャル表示領域に、上記全表示領域に書き込まれる１画面分のデータとは別の１画面分のデータを書き込むと共に、該パーシャル表示領域を、任意の時間経過毎に、上記画像表示部の表示画面内の任意の位置に移動させる方法である。
【００３２】
以上のように、表示のためのデータを記憶するメモリを装置本体ではなく、外部に設けるかたちをとれば、装置本体の小型化や薄型化等の効果を奏する。
【００３３】
【発明の実施の形態】
〔実施の形態１〕
本発明の一実施の形態について説明すれば、以下の通りである。なお、本実施の形態では、表示部においてデータを所定時間保持して画像表示を行うホールド型表示装置である液晶表示装置に本願発明を適用した場合について説明する。
【００３４】
本実施の形態に係る液晶表示装置は、図１に示すように、液晶パネルからなる表示部１１、該表示部１１を駆動するための駆動回路としてのゲートドライバ１２及びソースドライバ１３、該ソースドライバ１３に映像信号及び制御信号を送り出すコントロールＩＣ１４、上記ゲートドライバ１２及びコントロールＩＣ１４に駆動用の制御信号を送り出す電源ＩＣ１５を備えた構成となっている。
【００３５】
上記表示部１１は、上記ゲートドライバ１２に接続されたＮ本のゲートラインＧ１、Ｇ２、…、Ｇｎ、…、ＧＮ（以下、総称する場合にはゲートラインＧと称する）と、上記ソースドライバ１３に接続されたＭ本のソースラインＳ１、Ｓ２、…、Ｓｎ、…、ＳＭ（以下、総称する場合にはソースラインＳと称する）とが直交するように配置され、各ラインの交差部には画素ＰＩＸが接続されている。この画素ＰＩＸは、スイッチング素子として、例えばＴＦＴ（ｔｈｉｎ　ｆｉｌｍ　ｔｒａｎｓｉｓｔｏｒ）を介して液晶容量が接続された構成となっている。つまり、上記表示部１１は、画素ＰＩＸがマトリクス状に配置され、それぞれが独立して駆動されるアクティブマトリクス型の液晶表示パネルとなっている。
【００３６】
上記表示部１１では、通常のアクティブマトリクス型の液晶表示パネルと同様に、ゲートラインＧを線順次に選択して走査し、選択されたゲートラインＧの画素ＰＩＸにソースラインＳからデータ信号を供給して表示を行うようになっている。
【００３７】
また、上記表示部１１は、画素ＰＩＸに書き込まれたデータを所定の期間保持した後、リフレッシュさせるホールド型の表示部であって、この表示部上にデータを随時リフレッシュ（更新）するパーシャル表示領域が設けられ、このパーシャル表示領域は他の表示部の表示領域とは独立して駆動されるようになっている。この表示部１１の表示動作についての詳細は後述する。
【００３８】
上記ソースドライバ１３は、コントロールＩＣ１４から送られる映像信号を一時的に記憶するデータラッチ２１と、このデータラッチ２１から送られる１ライン分の映像信号を記憶するラインラッチ２２とで構成されており、コントロールＩＣ１４からの制御信号に基づいたタイミングで、ソースラインＳに映像信号を送り出すようになっている。
【００３９】
上記コントロールＩＣ１４は、ソースドライバ１３に供給すべき映像信号及び制御信号を送り出すタイミングを制御するコントロール部２３、表示部１１のパーシャル表示領域の１画面分のデータが格納される部分画面メモリとしての第１メモリ２４、表示部１１の全表示領域の１画面分のデータが格納される全画面メモリとしての第２メモリ２５とを備えている。
【００４０】
上記第１メモリ２４及び第２メモリ２５に格納されるデータは、外部の映像信号源（図示せず）に接続されたバス２６を介して供給されるようになっている。これら第１メモリ２４及び第２メモリ２５へのデータの格納及び呼び出しの制御は、上記コントロール部２３によって行われる。
【００４１】
また、上記コントロール部２３は、外部から入力された制御信号に基づいて、ゲートドライバ１２及び電源ＩＣ１５の駆動を制御するための制御信号を送出するようにもなっている。
【００４２】
上記電源ＩＣ１５は、上記コントロール部２３からの制御信号に基づいて、ゲートドライバ１２及びコントロールＩＣ１４に対して駆動用の制御信号を送出するようになっている。
【００４３】
上記表示部１１について、図２を参照しながら以下に説明する。なお、ここでは、上記構成の液晶表示装置を携帯電話に適用した場合について説明する。
【００４４】
表示部１１は、上述したように、パーシャル表示領域が画像表示部の表示領域とは独立して駆動可能となっており、図２では、上述したパーシャル表示領域をＡ部とし、上述したパーシャル表示領域以外の領域をＢ部としている。このＢ部は表示部１１の全表示領域を示し、Ａ部はＢ部上で駆動されているものとする。
【００４５】
なお、表示部１１は、上述したように、ゲートラインＧがＮ本としているので、Ｎライン分の画像データが表示できるようになっている。
【００４６】
図２に示す例では、１番目のゲートラインＧ１からＧＮまでの全表示領域をＢ部、上記ゲートラインＧ１をスタートライン位置とし、ｎ番目のゲートラインＧｎをエンドライン位置として、このスタートラインからエンドラインまでの表示領域をＡ部とする。
【００４７】
上記Ａ部は、表示データが随時リフレッシュされる画面エリアであり、必要に応じて表示データの書き換えが行われる一方、上記Ｂ部は、Ａ部の表示データのリフレッシュ期間よりも長い期間でリフレッシュされる画面エリアであり、書き込んだ表示データが長期間保持されるようになっている。
【００４８】
本実施の形態では、携帯電話の表示装置の例について説明しているので、上記表示部１１のＡ部は、電波状態、バッテリー状態、時刻等の表示データを必要に応じて随時書き換える必要のある表示領域（以下、パーシャル表示領域と称する）とし、Ｂ部は、待ち受け時にユーザが好みの画像を表示できるようにした表示領域（以下、静止画表示領域と称する）とする。
【００４９】
つまり、Ａ部とＢ部の表示モードは、それぞれ異なる。すなわち、Ａ部は、一般的なアクティブ表示モードを採用するが、Ｂ部では、ホールド型表示装置の特性を活かして、最大限、データを書き込んだあと、そのデータを絵素部で保持させるホールド表示モードを採用する。このような、パーシャル駆動方法を採用し、パーシャル表示領域以外の静止画表示領域において上述したホールド表示モードを採用した表示方式を、Ａｃｔｉｖｅ　Ｐａｒｔｉａｌ　Ｓｃａｎ方式と称する。
【００５０】
上記Ａ部の１画面分の表示データは、上記第１メモリ２４に格納され、上記Ｂ部の１画面分の表示データは、上記第２メモリ２５に格納されており、必要に応じて読み出され、所定のタイミングで表示部１１に送られるようになっている。
【００５１】
このように、Ａ部及びＢ部の１画面分の表示データを、それぞれ別々に格納するための第１メモリ２４及び第２メモリ２５が設けられているので、表示部１１におけるＡ部とＢ部とは独立して駆動制御可能となる。
【００５２】
図２に示す例では、第１メモリ２４からゲートラインＧ１からＧｎまでの１画面分のデータが読み出されるので、第２メモリ２５からは、ゲートラインＧ１からＧＮまでの全表示領域の１画面分のデータが読み出されるのではなく、ゲートラインＧｎ＋１からＧＮまでのデータが読み出される。
【００５３】
上記第１メモリ２４及び第２メモリ２５からの表示データの読み出し制御は、コントロールＩＣ１４内のコントロール部２３によって行われる。この表示データの読み出し制御については後述する。
【００５４】
上記Ａｃｔｉｖｅ　Ｐａｒｔｉａｌ　Ｓｃａｎ方式において、図２に示すように、Ａ部では、電波状態やバッテリー状態あるいは時刻等のデータを表示し、Ｂ部では、主に静止画像からなる待ち受け画面を表示するようにした場合、Ａ部の表示領域を必要最小限の大きさ、例えばアンテナや電波状態等の表示が視認できる程度の大きさに設定し、Ｂ部の表示領域をＡ部よりも大きく設定することで、表示部１１全体の消費電力の低減を図ることができる。
【００５５】
なお、少なくとも、Ａ部及びＢ部が表示部１１の表示画面内に存在していれば、全ての表示領域がＡ部のような場合に比べて消費電力を低減することができるので、Ａ部及びＢ部の表示領域の割合については特に限定するものではない。
【００５６】
具体的な使用例としては、上述のように、表示部１１におけるＡ部の比率がＢ部の比率よりも小さい場合では、Ａ部では、自動配信されてきたＮｅｗｓがスクロールして表示され、Ｂ部ではユーザが選んだ静止画が表示されることが考えられる。また、表示部１１におけるＡ部とＢ部の比率を変えることにより、Ａ部でＴＶ電話機能による動画を表示し、Ｂ部では固定パターンを表示することで、表示に要する消費電力を極端に増加させないということも考えられる。
【００５７】
ここで、上記表示部１１における表示動作の処理の流れについて、図３に示すフローチャートを参照しながら以下に説明する。
【００５８】
まず、図３に示すように、ステップＳ１において、液晶表示装置の電源がＯＮされると、パーシャル表示コマンドが実行される（ステップＳ２）。ここで、パーシャル表示コマンドとは、図２に示すように、表示部１１の表示画面を表示モードの異なるＡ部とＢ部とに分けるように制御するコマンドであり、液晶表示装置外部からの制御信号に含まれ、図１に示すコントロールＩＣ１４にて実行されるものとする。
【００５９】
上記のパーシャル表示コマンドがコントロールＩＣ１４にて実行されると、Ａ部の表示領域の開始位置であるスタートライン位置と終了位置であるエンドライン位置とを指定する（ステップＳ３）。具体的には、表示部１１におけるゲートラインＧを指定することを示す。
【００６０】
このように、Ａ部の表示領域が指定されると、Ｂ部の表示領域が自動的に指定される。
【００６１】
次に、表示部１１における画像データの書込処理が実行される（ステップＳ４）。この処理は、液晶表示装置の電源がＯＦＦされるまで実行される（ステップＳ５）。
【００６２】
ステップＳ４において、Ａ部とＢ部とにおけるそれぞれの画像データの書込処理がそれぞれ独立して行われる。
【００６３】
はじめに、Ａ部におけるパーシャル表示処理について、図４に示すフローチャートを参照しながら以下に説明する。
【００６４】
まず、コントロールＩＣ１４は、更新データの有無を判定する（ステップＳ１１）。ここで、更新データとは、Ａ部において表示されている電波状態やバッテリー状態に関するデータを示す。
【００６５】
ステップＳ１１において、更新データありと判定すれば、Ａ部の表示データの更新を行う（ステップＳ１２）。
【００６６】
次いで、パーシャル表示終了のコマンドが実行されたか否かを判定する（ステップＳ１３）。ここで、パーシャル表示終了のコマンドが実行されれば、図３に示すステップＳ５に移行し、パーシャル表示終了のコマンドが実行されなければ、再びステップＳ１１に移行し、更新データの有無を判定する。
【００６７】
また、ステップＳ１１において、更新データ無しと判定されれば、ｎ（ｎ＜Ｎ）フレーム経過したか否かを判定する（ステップＳ１４）。ここで、ｎは、予め設定したフレーム数を示し、ＮはＢ部での静止画表示処理のリフレッシュするまでのフレーム数を示す。
【００６８】
そして、ステップＳ１４において、ｎフレーム経過していれば、Ａ部の表示内容をリフレッシュする（ステップＳ１５）。ここでのリフレッシュとは、Ａ部において表示されている内容そのものをリフレッシュするという意味であり、内容を更新することを示すものではない。
【００６９】
一方、ステップＳ１４において、ｎフレーム経過していなければ、再びステップＳ１１に移行し、更新データの有無を判定する。
【００７０】
次に、Ｂ部における静止画表示処理について、図５に示すフローチャートを参照しながら以下に説明する。
【００７１】
まず、Ｂ部に一括して静止画像が書き込まれる（ステップＳ２１）。Ｂ部においては、一度書き込まれた表示データが一定期間（Ｎフレーム分）保持されるようになっている。この期間は、表示部１１の液晶表示パネルにおける表示データの保持特性によって決定される。ここでは、Ｂ部でのデータの書き込みは、Ａ部の書き込み領域を除いた領域となる。
【００７２】
次に、Ｎフレーム経過したか否かを判定する（ステップＳ２２）。ここで、Ｂ部では、Ｎフレーム経過するまで静止画像用の表示データが保持される。
【００７３】
ステップＳ２２において、Ｎフレーム経過したと判定すれば、Ｂ部の表示内容をリフレッシュする（ステップＳ２３）。ここでのリフレッシュとは、Ｂ部の表示内容が劣化するのを防ぐ為に行われるものである。
【００７４】
次いで、静止画表示終了のコマンドが実行されたか否かを判定する（ステップＳ２４）。ここで、静止画表示終了のコマンドが実行されれば、図３に示すステップＳ５に移行し、静止画表示終了のコマンドが実行されなければ、再びステップＳ２２に移行し、Ｎフレーム経過したか否かを判定する。
【００７５】
上記のように表示部１１において、データを随時書き換えるパーシャル表示領域となるＡ部と、書き込んだ表示データを所定の期間保持した後、リフレッシュするホールド型の表示領域であるＢ部との両方に画像を表示することができるので、パーシャル表示時の消費電力を維持しながら、全画面表を実現することができる。
【００７６】
通常、表示画面内の一定の場所のみで表示がされ続けることで、図６に示すように、画面の焼きつきが発生し、表示部１１における長期信頼性の低下を招いていた。
【００７７】
そこで、画像の焼きつきを防止するために、表示部１１においてＡ部をＢ部上の任意の位置に移動させることが考えられる。例えば図７に示すように、Ａ部をＢ部上で図中の矢印方向、すなわち上部から下部に向かって線順次にスクロールさせたり、図８に示すように、Ａ部をＢ部上でランダムに移動させたりすることが考えられる。
【００７８】
このランダムで表示させる場合、図８に示すように、最初のフレームから数フレームの間、Ａ部を▲１▼の位置で表示させ、次の数フレームの間、Ａ部を▲１▼の位置から表示画面の最下部の▲２▼の位置に移動させ、この▲２▼の位置で表示させ、さらに次のフレームの間、Ａ部を▲２▼の位置から表示画面のほぼ中央部の▲３▼の位置に移動させ、この▲３▼の位置で表示させる。以下、同様にして、Ａ部を所定のフレーム間隔で移動させる。
【００７９】
図７に示すＡ部をスクロールさせる方法では、Ａ部の表示の開始位置と終了位置とを順次ずらすように制御し、図８に示すＡ部をランダムに移動させる方法では、Ａ部の表示の開始位置と終了位置とをランダムにずらすように制御すればよい。何れの方法であっても、Ａ部の移動間隔は、ユーザがＡ部の表示内容を認識できる程度の間隔でよい。
【００８０】
Ａ部がランダムに移動する場合、例えば図９（ａ）（ｂ）に示すようになる。ここで、図９（ａ）では、Ａ部が図２に示す位置に配置され、５フレーム分の表示状態を示し、図９（ｂ）では、Ａ部がＢ部のほぼ中央部に移動し、その位置での５フレーム分の表示状態を示している。つまり、Ａ部が、図９（ａ）に示す状態から、図９（ｂ）に示す状態に移動への移動間隔は５フレームであることを示している。
【００８１】
このように、Ａ部を固定して表示し続けるのではなく、Ｂ部上に移動させるようにすれば、画面の焼きつきを防止することができる。
【００８２】
これにより、画像表示部における画面焼きつきによる表示品位の低下を防止することができる。
【００８３】
また、Ａ部の１画面分の表示データと、Ｂ部の１画面分の表示データとは、別々のメモリ（第１メモリ２４、第２メモリ２５）に格納され、独立して読み出され、Ａ部及びＢ部に書き込まれるようになっている。
【００８４】
それゆえ、画像表示部の表示領域であるＢ部へのデータの書き込みと、パーシャル表示領域であるＡ部へのデータの書き込みとを独立して制御することが可能となる。
【００８５】
また、Ａ部の移動先の領域では、第１メモリ２４に記憶されたデータが読み出され、このデータによって既に書き込まれたデータが書き換えられ、Ａ部が移動した後の領域では、第２メモリ２５に記憶されたデータが読み出され、このデータによって既に書き込まれているデータが書き換えられるようになる。
【００８６】
このように、画像表示部の全表示領域の１画面分のデータが第２メモリ２５に記憶され、この第２メモリ２５とは別にＡ部の１画面分のデータが第１メモリ２４に記憶されているので、Ａ部が画像表示部の表示画面内を移動しても、Ａ部以外の他の領域（Ｂ部）で表示された画像に影響を与えない。
【００８７】
したがって、パーシャル表示領域であるＡ部と他の表示領域であるＢ部との両立が図ることができ、結果として、表示部１１の表示品位の向上を図ることができる。
【００８８】
上記表示部１１のＡ部及びＢ部への表示データの書込制御は、コントロールＩＣ１４内のコントロール部２３によって行われる。
【００８９】
ここで、表示部１１におけるＡ部及びＢ部の表示制御について、図１０及び図１１に示す波形図を参照しながら以下に説明する。
【００９０】
上記コントロール部２３は、第１メモリ２４及び第２メモリ２５から表示データを読み出すか否かを示すメモリ読出信号と、第１メモリ２４と第２メモリ２５の何れのメモリから表示データを読み出すかを選択するためのメモリ選択信号とに基づいて、第１メモリ２４及び第２メモリ２５からの表示データの読み出し制御を行うようになっている。
【００９１】
例えば、上記コントロール部２３は、メモリ読出信号がハイレベルのとき、第１メモリ２４及び／または第２メモリ２５に格納されている表示データを読み出すようになっている。また、メモリ選択信号は、ハイレベルのとき第１メモリ２４に格納された表示データの読出可能とし、ローレベルのとき第２メモリ２５に格納された表示データの読出可能としている。つまり、メモリ読出信号がハイレベルのときに、メモリ選択信号がハイレベルであれば、第１メモリ２４に格納された表示データが読み出され、メモリ選択信号がローレベルであれば、第２メモリ２５に格納された表示データが読み出される。
【００９２】
図１０に示す例では、最初の１フレーム（ゲートラインＧ１〜ＧＮ）では、メモリ選択信号のハイレベルとローベルの両方が含まれるように、メモリ読出信号がハイレベルとなっているので、第１メモリ２４及び第２メモリ２５の両方に格納された表示データが読み出され、次の第２フレームから第３フレームからの間では、メモリ選択信号がハイレベルのときメモリ読出信号がハイレベルとなっているので、第１メモリ２４に格納された表示データのみが読み出され、さらに、次の第４フレームでは、第１フレームのときと同様にメモリ選択信号のハイレベルとローベルの両方が含まれるように、メモリ読出信号がハイレベルとなっているので、第１メモリ２４及び第２メモリ２５の両方に格納された表示データが読み出される状態を示している。
【００９３】
つまり、図１０に示す例では、第１メモリ２４に格納された表示データは１フレーム毎に読み出されているのに対して、第２メモリ２５に格納された表示データの読み出しは３フレーム毎に読み出されていることを示している。この例では、表示部１１のＢ部は、書き込まれた表示データが３フレームの間保持されていることを示している。
【００９４】
このように、表示部１１において、Ａ部とＢ部とを同じように書き換えるのではなく、主に静止画像を表示させるためのＢ部の書き換え期間をＡ部よりも長くすることで、該表示部１１に係る消費電力の低減を図ることができる。なお、この表示データの保持期間は、３フレームでなくてもよく、表示画像の劣化が許容範囲内であればよく、長ければ長い程消費電力の低減になる。
【００９５】
また、図１０に示す例では、表示部１１のＡ部の表示領域、Ｂ部の表示領域に対応するように、メモリ選択信号のハイレベルの期間はゲートラインＧ１からＧｎを選択する期間に設定され、メモリ選択信号のローベルの期間はゲートラインＧｎ＋１からＧＮを選択する期間に設定されている。つまり、表示部１１の表示画面内において、Ａ部及びＢ部の表示領域が変われば、それに対応するようにメモリ選択信号のハイレベル及びローレベルの期間を変更すればよい。
【００９６】
例えば、図９（ａ）に示すように、Ａ部の表示領域のスタートライン位置がゲートラインＧ１であり、エンドライン位置がゲートラインＧ３０であれば、Ｂ部の表示領域のスタートライン位置はゲートラインＧ３１となり、エンドライン位置はゲートラインＧＮとなる。この場合、メモリ選択信号のハイレベルの期間は、ゲートラインＧ１からＧ３０の選択期間となり、メモリ選択信号のローレベルの期間は、ゲートラインＧ３１からＧＮの選択期間を越えて本フレームの終了までの期間となる。
【００９７】
また、図９（ｂ）に示すように、Ａ部の表示領域のスタートライン位置がゲートラインＧ６１であり、エンドライン位置がゲートラインＧ９０であれば、Ｂ部の表示領域は、スタートライン位置がゲートラインＧ１で、エンドライン位置がゲートライン位置Ｇ６０までの表示領域と、スタートライン位置がゲートラインＧ９１で、エンドライン位置がゲートラインＧＮまでの表示領域となる。この場合、メモリ選択信号のハイレベルの期間は、ゲートラインＧ６１からＧ９０の選択期間となり、メモリ選択信号のローレベルの期間は、ゲートラインＧ１からＧ６０の選択期間と、ゲートラインＧ９１からＧＮまでの選択期間を越えて本フレームの終了までの期間とを合わせた期間となる。
【００９８】
このように、Ａ部及びＢ部が設定された領域に応じてメモリ選択信号のハイレベル及びローレベルの期間を変更すれば、常に、Ａ部には第１メモリ２４からの表示データが書き込まれ、Ｂ部には第２メモリ２５からの表示データが書き込まれるようになるので、Ａ部とＢ部とを確実に独立して駆動することが可能となる。
【００９９】
ところで、表示部１１の表示画面において、Ａ部とＢ部との表示データの書き換え頻度が異なる。つまり、Ｂ部の書き換え頻度は、Ａ部の書き換え頻度に比べて極めて少ない。このような場合、例えばＢ部の表示色とＡ部の背景表示色とを同じにした場合、表示データの書き換え頻度の違いから、最初同じ色であっても、ユーザの目には時間経過と共に、Ａ部とＢ部との色に違いが生じるのが認識できるようになる。このような場合には、Ａ部とＢ部との境界が認識されようになるので、表示画面の表示品位が著しく低下することになる。
【０１００】
そこで、以下の実施の形態では、人間の視覚特性を利用して、Ａ部とＢ部との境界に白色のラインを書き込むようにすることで、Ａ部とＢ部の色の違いが生じているのを目立たなくさせ、表示品位の低下を防止することが分からなくなり、ほとんど同じように見えるので、Ａ部とＢ部との境界が目立ちにくくなり、表示品位の低下を防止することを提案している。
【０１０１】
〔実施の形態２〕
本発明の他の実施の形態について説明すれば、以下の通りである。なお、本実施の形態では、前記実施の形態１と同様に、ホールド型の表示装置の一つである液晶表示装置に本願発明を適用した場合について説明する。また、前記実施の形態１と同じ機能を有する部材には、同一の符号を付記し、その説明を省略する。
【０１０２】
本実施の形態にかかる液晶表示装置は、図１１に示すような表示部１１を備えている。
【０１０３】
上記表示部１１において、パーシャル表示部であるＡ部は、表示画面のほぼ中央に配置され、静止画表示部であるＢ部との境界部であるスタートライン位置を示す境界線３１とエンドライン位置を示す境界線３２を白または黒のラインで表示するようになっている。
【０１０４】
例えばＡ部のスタートライン位置をゲートラインＧ５１とし、Ａ部のエンドライン位置をゲートラインＧ８０とすれば、このゲートラインＧ５１とゲートラインＧ８０に対応するラインラッチデータを白または黒の表示データとすればよい。この場合のメモリ読取信号とメモリ選択信号との関係は、図１２に示すようになる。すなわち、メモリ選択信号は、ゲートラインＧ５１からＧ８０の選択期間、ハイレベルとなり、第１メモリ２４に格納された表示データが読み出される。このとき、第１メモリ２４には、ゲートラインＧ５１とＧ８０に対応するラインラッチデータとして白または黒のラインに対応する表示データが格納されると共に、ゲートラインＧ５２からＧ７９に対応するラインラッチデータとしての電波状態、バッテリー状態、時刻等の表示に対応する表示データが格納されている。
【０１０５】
なお、上記の白または黒のラインは、随時書き換える必要が無いので、白または黒のラインに対応する表示データは、Ｂ部の表示データを格納する第２メモリ２５に格納されてもよい。この場合、▲１▼ゲートラインＧ５１とＧ８０の表示データを第２メモリ２５にそのまま格納する方法と、▲２▼第２メモリ２５に格納されたゲートラインＧ５０とゲートラインＧ８１に対応するラインラッチデータを白または黒のラインに対応する表示データとする方法とが考えられる。
【０１０６】
上記▲１▼の方法では、Ａ部のスタートライン位置がゲートラインＧ５２、エンドライン位置がゲートラインＧ７９となり、Ａ部の表示領域が若干狭くなる。
【０１０７】
また、上記▲２▼の方法では、元々Ｂ部に対応するゲートラインＧ５０とＧ８１に対応するラインラッチデータを白または黒のラインの表示データとしているので、Ａ部の表示領域を狭くすることはない。
【０１０８】
上記▲１▼の方法の場合には、メモリ選択信号は、図１２に示すように、ゲートラインＧ５１からＧ８０までがハイレベルになるが、上記▲２▼の方法の場合には、メモリ選択信号は、ゲートラインＧ５２からＧ７９までがハイレベルとなる。
【０１０９】
上記Ａ部には、電波状態やバッテリー状態等の随時書き換えの必要な表示データが書き込まれ、Ｂ部には、白または黒等の単色の表示データが待ち受け画面の一種として一括して書き込まれる。
【０１１０】
ここで、重要なのは、Ａ部とＢ部との境界に境界線としてラインを書き込むことであり、例えばＡ部とＢ部とが同じ白である場合に、該境界に白色のラインを書き込むことが望ましいが、敢えて境界に白色のラインを書き込まずに黒色のラインを書き込んでも、人間の目には、Ａ部とＢ部との色の違いが分かりづらくなり、この結果、表示品位の向上を図ることができる。したがって、Ａ部とＢ部との境界に書き込む境界線の色は特に限定するものではないが、消費電力や表示の簡便さ等を考慮すれば、白または黒のラインを書き込むのが好ましい。これは、液晶のオン・オフによって白または黒の何れかの表示を行うことができるからである。
【０１１１】
また、上記の説明では、前記実施の形態１で説明したＡ部に書き込む１画面分の表示データと、Ｂ部に書き込む１画面分の表示データと別々のメモリ（第１メモリ２４、第２メモリ２５）に格納する例について説明したが、これに限定されるものではなく、例えば、一つのメモリでＡ部とＢ部と合わせた１画面分の表示データを格納する場合において適用することが可能である。
【０１１２】
この場合においては、通常、Ｂ部には白や黒などの単色を一括して書き込む場合が多いので、Ａ部とＢ部との境界が目立ち易くなり、上記のようにＡ部とＢ部との境界に白または黒のラインを書き込むことは特に有効である。
【０１１３】
なお、Ａ部とＢ部とがそれぞれ異なる色で表示されている場合でも、Ａ部とＢ部との境界にラインを書き込むことで、Ａ部とＢ部との表示にメリハリを持たせることができるので、該境界にラインを書き込まない場合に比べて、表示画面全体の表示品位を向上させることができる。
【０１１４】
以上の各実施の形態では、表示装置として液晶表示装置について説明したが、これに限定されるものではなく、ホールド型の表示装置であれば、ＴＦＤ（ＴｈｉｎＦｉｌｍ　Ｄｉｏｄｅ）や電気泳動素子等を用いた表示装置であってもよい。
【０１１５】
また、上記の各実施の形態では、本発明の表示装置を携帯電話の表示装置として適用した例について説明したが、これに限定されるものではなく、他の携帯端末器等に適用することが可能である。
【０１１６】
さらに、上記の各実施の形態では、該表示装置内部の記憶部に、パーシャル表示領域の１画面分のデータを記憶する部分画面メモリを設けていたが、この部分画面メモリは、上記記憶部内に必ずしも設ける必要はなく、例えば表示装置が携帯電話に用いられるのであれば、上記のパーシャル表示領域の１画面分のデータを逐次ダウンロードして直接書き込むようにしてもよい。また、画像表示部の全表示領域の１画面分のデータもダウンロードして直接書き込むようにすれば、全画面メモリも記憶部内に設ける必要がなくなる。
【０１１７】
したがって、装置本体の小型化及び薄型化を図ることができる。
【０１１８】
【発明の効果】
以上のように、本発明の表示装置は、書き込まれたデータが所定期間保持された後、リフレッシュされる画像表示部内に、書き込まれたデータが上記画像表示部における保持期間よりも短い期間保持された後、リフレッシュされるパーシャル表示領域が設けられた表示装置において、上記画像表示部の全表示領域の１画面分のデータを格納する全画面メモリと、該全画面メモリとは別に設けられ、上記パーシャル表示領域の１画面分のデータを記憶する部分画面メモリとを含む記憶部と、上記各メモリから読み出したデータを、それぞれ対応する上記表示領域に書き込ませると共に、上記パーシャル表示領域を、任意の時間経過毎に、上記画像表示部の表示画面内の任意の位置に移動させるコントロール部とを備えている構成である。
それゆえ、パーシャル表示領域が、任意の時間経過毎に画像表示部の表示画面内の任意の位置に移動させることで、該パーシャル表示領域に書き込まれたデータによる画面の焼きつきを防止することができる。
【０１１９】
これにより、画像表示部における画面焼きつきによる表示品位の低下を防止することができる。
【０１２０】
また、画像表示部の全表示領域に書き込まれるデータと、パーシャル表示領域に書き込まれるデータとが記憶部内の別々のメモリに記憶されているので、画像表示部の表示領域へのデータの書き込みと、パーシャル表示領域へのデータの書き込みとを独立して制御することが可能となる。
【０１２１】
これにより、パーシャル表示を行う際に非表示領域と考えられた領域にユーザが希望する画像を表示させることができる。
【０１２２】
しかも、画面の焼きつきを防止するために、パーシャル表示領域を移動させた場合、パーシャル表示領域の移動先の領域では、部分画面メモリに記憶されたデータが読み出され、このデータによって既に書き込まれたデータが書き換えられ、パーシャル表示領域が移動した後の領域では、全画面メモリに記憶されたデータが読み出され、このデータによって既に書き込まれているデータが書き換えられるようになるので、パーシャル表示領域が画像表示部の表示画面内を移動しても、パーシャル表示領域以外の他の領域で表示された画像に影響を与えることはない。
【０１２３】
したがって、パーシャル表示領域以外の領域に表示されるユーザが希望する画像は、パーシャル表示領域の移動の影響を受けないので、パーシャル表示領域と他の表示領域との両方に画像表示させた場合の表示品位、すなわち画像表示部の表示品位の向上を図ることができるという効果を奏する。
【０１２４】
パーシャル表示領域の移動のさせかたとしては、以下のような方法がある。
【０１２５】
上記コントロール部によって、上記パーシャル表示領域を、任意の時間間隔で、線順次にずらして移動させるようにしてもよい。
【０１２６】
また、上記コントロール部によって、上記パーシャル表示領域を、任意の時間間隔で、ランダムにずらして移動させるようにしてもよい。
【０１２７】
画像表示部とパーシャル表示領域とでは、上記のようにデータの保持期間が異なるので、同一色で表示させた場合には、時間経過と共に、色が微妙に異なる様に見える。
【０１２８】
また、人間は、微妙に異なる色同士の境界部分に境界が分かるようにラインを書き込むことで、微妙に異なる色同士が同じに見えるという視覚特性を有している。
【０１２９】
そこで、上記パーシャル表示領域と画像表示部内の他の領域との境界に、境界線としての色のデータを書き込ませることが考えられる。
【０１３０】
このように、データの保持期間の異なる表示領域の境界部分に境界線を示す色データを書き込めば、表示領域の境界が明瞭となり、パーシャル表示領域と他の領域とで微妙に異なって見える色であっても、ほぼ同じ色に見せかけることが可能となる。
【０１３１】
これにより、パーシャル表示領域を設けた画像表示部における時間経過による遜色による表示品位の低下を防止することができ、結果として、表示装置における表示品位の向上を図ることができるという効果を奏する。
【図面の簡単な説明】
【図１】本発明の実施の一形態にかかる表示装置としての液晶表示装置の電気的構成を示すブロック図である。
【図２】図１に示す液晶表示装置の表示部における表示例を示す図である。
【図３】図１に示す液晶表示装置の表示動作の処理の流れを示すフローチャートである。
【図４】図３に示す表示動作の処理のうち、パーシャル表示処理のサブルーチンを示すフローチャートである。
【図５】図３に示す表示装置の処理のうち、静止画表示処理のサブルーチンを示すフローチャートである。
【図６】一般的なパーシャル表示をした場合の画像の焼きつき例を示す図である。
【図７】焼きつき防止のためのスクロール表示処理の例を示す図である。
【図８】焼きつき防止のためのランダム表示処理の例を示す図である。
【図９】（ａ）（ｂ）は、図２に示す表示部のスキャン結果を示す図である。
【図１０】図１に示す液晶表示装置におけるメモリ読出のタイミングを示す波形図である。
【図１１】本発明の他の実施の形態に係る液晶表示装置の表示部における表示例を示す図である。
【図１２】図１１に示す表示部の表示例に対応したメモリ読出のタイミングを示す波形図である。
【符号の説明】
１１　表示部（画像表示部）
１２　ゲートドライバ
１３　ソースドライバ
１４　コントロールＩＣ
１５　電源ＩＣ
２１　データラッチ
２２　ラインラッチ
２３　コントロール部
２４　第１メモリ
２５　第２メモリ
２６　バス
３１　境界線
３２　境界線
ＰＩＸ　画素
【図１】
2004045748.tif 000003
【図２】
2004045748.tif 000004
【図３】
2004045748.tif 000005
【図４】
2004045748.tif 000006
【図５】
2004045748.tif 000007
【図６】
2004045748.tif 000008
【図７】
2004045748.tif 000009
【図８】
2004045748.tif 000010
【図９】
2004045748.tif 000011
【図１０】
2004045748.tif 000012
【図１１】
2004045748.tif 000013
【図１２】
2004045748.tif 000014